(57)【要約】【課題】  洗濯機には洗濯、すすぎ、乾燥機能の動作を制御するためのコントローラが実装されている。本コントローラは動作時に電力損失によりコントローラ内部で熱を発生する。また特に乾燥運転中においてはヒータからの輻射熱を受けることによりコントローラの内部及び周囲温度が上昇し、電子部品の寿命低下、故障の原因となる。【解決手段】  本発明は上記問題点を解決するために、乾燥用ファンと連動する羽を設けることにより、乾燥用ファンによりコントローラを強制冷却することを特徴とする。【選択図】図１
2019051042.tif 000002
【特許請求の範囲】
【請求項１】
筐体内に弾性支持される外槽と、
前記外槽内に回転自在に支持される内槽と、
前記内槽を駆動するモータと、
前記モータを制御するコントローラと、
乾燥用ファン及び加熱手段を有し，吹き出し口から前記内槽内の洗濯物に温風を吹き込む乾燥装置と、
前記乾燥用ファンと連動し、前記コントローラを冷却する羽を設けたことを特徴とする洗濯乾燥機。
【請求項２】
請求項１に記載の洗濯乾燥機であって、
前記乾燥装置の乾燥風路は別に風路を設けて、該風路内に前記コントローラを配置することを特徴とする洗濯乾燥機。
【発明の詳細な説明】
【技術分野】
【０００１】
洗濯乾燥機に関する。
【背景技術】
【０００２】
従来，洗濯乾燥機は，外槽内に回転自在に設置した洗濯槽と，洗濯槽の底部に回転自在に設置した洗濯翼と，洗濯槽および洗濯翼を回転駆動する電導駆動装置を備え，電導駆動装置によって洗濯槽および洗濯翼をクラッチによる切り替え手段で選択的に回転駆動することにより，洗濯槽内の洗濯物を撹拌して洗い工程とすすぎ工程を行い，その後，洗濯槽を高速回転させて洗濯物を遠心脱水する構成である。乾燥工程ではヒータによって加熱した空気をファンで送風することにより、洗濯物を乾燥させる。コントローラは電力損失による発熱やヒータからの輻射の熱により温度上昇する。そのため、コントローラを冷却するための専用のファンを必要とする場合がある。
【先行技術文献】
【特許文献】
【０００３】
【特許文献１】特開2007-313140号公報
【発明の概要】
【発明が解決しようとする課題】
【０００４】
特許文献１のように、特に乾燥運転中はヒータからの輻射の熱を受けるため温度が上昇しやすい。コントローラの温度が上昇した場合には電子部品の寿命が短くなる、破壊する等の懸念が生じる
本発明は，上記課題を解決するもので，コントローラ専用のファンを必要とせず、乾燥用ファンの風を利用することにより安価な洗濯乾燥機を提供することを目的とする。
【課題を解決するための手段】
【０００５】
本発明は従来の課題を解決するために，乾燥用ファンに連動する羽を設ける。また、乾燥風路とは別に風路を設けて、乾燥風路とは異なるもう一方の風路内に洗濯乾燥機のコントローラを実装する。
【発明の効果】
【０００６】
本発明によれば，洗濯乾燥機に搭載されたコントローラを冷却するための専用のファンが不要となり、またコントローラの周囲温度を低減することにより信頼性の高い洗濯機を提供することが可能となる。また、輻射の熱を受け、温度上昇が過大となる乾燥運転時は強制空冷が可能となりコントローラの雰囲気温度の上昇を低減することが可能となる。
【図面の簡単な説明】
【０００７】
【図１】本実施形態の洗濯機を示す縦断面図である。
【図２】従来の洗濯乾燥機を示す縦断面図である。
【発明を実施するための形態】
【０００８】
図１は本発明の一実施形態を示す洗濯乾燥機の縦断面図である。図１に示す洗濯機の縦断面図において，洗濯機は洗濯機外枠１と、洗濯機外枠１を下から支持する外枠ベース２、洗濯機外枠１の上に設けられたトップカバー３、トップカバー３に開閉自在に備わる蓋４が設けられている。洗濯、すすぎ、脱水等の動作中、蓋４はロックされ開閉できない状態となる。外槽５は洗濯機外枠１の上側内部に設けたコーナ支持部８より垂下する吊棒７に防振バネ２１を介して防振支持される。洗濯槽９は外槽５内に回転自在に置かれる。モータ１９としてのＤＣブラシレスモータは外槽５の底側下面に設けられる。モータ１９はフランジ２０を用いて外槽５に取り付けられる。モータ１９の回転主軸３３は洗濯槽９の底面フランジ３９に固定され、洗濯槽９を支持する。
【０００９】
回転主軸３３の中心には洗濯槽９内に回転自在に置かれる洗濯翼１１を正逆回転させる内側回転軸（図示せず）が備わっている。モータ１９は、クラッチによる切り替え手段（図示せず）で洗濯槽９と洗濯翼１１の回転動作を切り替えられる。洗濯物３８の洗いでは，モータ１９は正逆回転し，洗濯翼１１も正逆回転し洗濯物３８の撹拌が行われる。洗濯物３８の脱水では，モータ１９は高速で回転し，洗濯槽９も高速回転し，洗濯槽９の胴体に設けた脱水穴１２から遠心脱水が行われる。
【００１０】
排水電磁弁２２は外槽５の底部に設けた排水口に連通する排水ホース２３に備わる。洗濯やすすぎで使った水は排水電磁弁２２の開放で排水ホース２３を通じて機外へ排水される。脱水が行われる脱水運転は排水電磁弁２２を開放したままで行う。
【００１１】
乾燥用ファン50は洗濯機外枠1内部に設けられており、風路51を介して温風を洗濯槽９内部へ供給し、洗濯物を乾燥させる。
【００１２】
コントロール基板２７は洗濯機外枠１、外枠ベース２、トップカバー３によって区切られた空間内に備えられる。図２に示す構成ではトップカバー３内に設置されている。電源スイッチ４０はトップカバー３の前側に設けられる。電源スイッチ４０を投入し，表示基板３６に設けられる各種入力スイッチを操作して洗濯機の動作を設定する。
【００１３】
外槽５内に貯留する洗濯水の水位は水圧の変化により水位センサー４１により検知され，その水位情報はコントロール基板２７に提供され，給水と排水を制御する。
【００１４】
排水電磁弁２２は外槽５の底部に設けた排水口２２ａに連通する排水ホース２３に備わる。洗濯やすすぎで使った水は排水電磁弁２２の開放で排水ホース２３を通じて機外へ排水される。脱水が行われる脱水運転は排水電磁弁２２を開放したままで行う。排水電磁弁２２の開閉，モータ１９の運転，停止，速度調整はコントロール基板２７により制御される。
【００１５】
ここで，従来のコントロール基板２７の設置構成例について，図２を用いて説明する。
【００１６】
コントロール基板２７は洗濯機外枠１、外枠ベース２、トップカバー３によって区切られた空間内に備えられる。図２に示す構成ではトップカバー３内に設置されている。コントロール基板２７は専用の冷却ファン45により強制空冷をしている。
【００１７】
そこで、本実施形態では、コントロール基板２７側へ乾燥用ファンと連動する羽52を設けることにより乾燥用風路とは別に新たな風路を設け、輻射熱を受ける乾燥運転時は乾燥用ファンによりコントロール基板２７の強制空冷を実施する構成とした。
【００１８】
図１は，実施例を示す。コントロール基板２７は乾燥用ファンと連動する羽52により強制空冷を行うことが出来る。
【００１９】
本実施例によれば，乾燥運転時コントロール基板２７は乾燥ファン５０の動作時には強制空冷することが可能となるため、専用の冷却ファン４５が不要となり、安価な構成可能となる。
【００２０】
なお，このような構成を有する洗濯乾燥機であれば，洗濯翼を洗濯槽の底に設置する縦型の洗濯乾燥機に限らず，ドラム式の洗濯機や洗濯乾燥機であっても良い。
【符号の説明】
【００２１】
１…本体外枠、３…トップカバー、２７…コントロール基板、コントロール基板専用ファン４５…ファン、５０…乾燥用ファン、５２…連動羽
【図１】
2019051042.tif 000003
【図２】
2019051042.tif 000004